(57)【特許請求の範囲】
【請求項１】
補強材を外周に被せた伝動ベルト成形用の金型と、金型に被せた補強材の外周に接して回転自在で且つ金型の軸方向に沿って移動駆動されるタッチプーリとを備えて成り、金型に被せた補強材の外周に供給される心線をタッチプーリの外周面で押さえながら金型を回転駆動させることによって、心線を補強材の外周にスパイラル状に巻き付けるようにした伝動ベルト成形用心線巻付け装置において、タッチプーリに、補強材の外周に供給されて巻き付けられる心線を押さえる巻付け心線押さえ部と、補強材の外周に巻き付け済みの心線を押さえる巻済み心線押さえ部を形成すると共に、巻済み心線押さえ部の半径を巻付け心線押さえ部の半径よりも大きく形成して成ることを特徴とする伝動ベルト成形用心線巻付け装置。
【請求項２】
タッチプーリの巻付け心線押さえ部の半径をｒ1、巻済み心線押え部の半径をｒ3、補強材の厚みも含めた金型の半径をｒ2、心線の厚みをｔとすると、巻済み心線押え部の半径ｒ3と巻付け心線押さえ部の半径ｒ1の差ｄを、
ｄ＝Ａ×（０．５ｔ（ｒ1＋ｒ2）／ｒ2）
（ただし、Ａは０．１〜０．７の係数）
に設定することを特徴とする請求項１に記載の伝動ベルト成形用心線巻付け装置。
【発明の詳細な説明】
【０００１】
【発明の属する技術分野】
本発明は、歯付ベルトなど、心線がベルト長手方向に沿って埋入された伝動ベルトを成形する際に、成形用の金型に心線を巻き付けるために用いられる装置に関するものである。
【０００２】
【従来の技術】
歯付ベルトなどの伝動ベルトを製造するにあたっては、例えば次のようにして行なわれている。すなわち図３（ａ）に示すような、外周に歯部成形用の凹溝１１を軸方向と並行に多数本設けて形成した円筒状の金型２を用い、まずこの金型２の外周に帆布などのシート材を筒状にした補強材１を被せ、次に金型２に被せた補強材１の外周に心線４をスパイラル状に巻き付ける。この後、心線４の上から補強材１の外周に未加硫のゴムシート１２を巻き付け、これを加熱・加圧して加硫することによって、円筒状のスリーブを成形する。そしてこのスリーブを輪切りするように切断することによって、図３（ｂ）に示すような、片面に補強材１で表面が補強された歯部１３が所定ピッチで形成され、複数本の心線４がベルト長手方向に埋入された伝動ベルトＴを得ることができるものである。
【０００３】
ここで、上記のように金型２に被せた補強材１の外周に心線４をスパイラル状に巻き付けるために、特公平６−９２１３３号公報などで提供されているように、タッチプーリ３が使用されている。タッチプーリ３は円柱状に形成されるものであって、軸１５を中心にして回転自在にしてある。このタッチプーリ３は回転駆動される金型２の回転軸１６に軸１５が平行になるように金型２の外周部に配置されるものであり、金型２の軸方向と平行に移動駆動されるようにしてある。
【０００４】
図４及び図５は従来のタッチプーリ３の一例を示すものであり、その軸方向の一方の端部は巻付け心線押さえ部５として、軸方向の他の部分は巻済み心線押さえ部６としてそれぞれ形成してある。巻付け心線押さえ部５の外周には心線ガイド溝１７が凹設してある。尚、図のものは、Ｓ撚りとＺ撚りの一対の心線４を同時に巻き付ける２条巻きに用いるために２本の心線ガイド溝１７が凹設してあるが、１条巻の場合には１本の心線ガイド溝１７を凹設したタッチプーリ３を用いる。そして従来のタッチプーリ３では、巻付け心線押さえ部５の半径（心線ガイド溝１７の溝底部での半径）ｒ1と、巻済み心線押さえ部６の半径ｒ1とは、等しい寸法に形成してある。
【０００５】
このようなタッチプーリ３を用いて、金型２に被せた補強材１の外周に心線４をスパイラル状に巻き付けるにあたっては、金型２に被せた補強材１の外周に供給される心線４を、タッチプーリ３の巻付け心線押さえ部５の心線ガイド溝１７に嵌合させてガイドしながら、金型２を図５の矢印のように回転駆動することによって、心線ガイド溝１７でガイドして位置決めした状態で補強材１の外周に心線４を巻き付けることができるものであり、同時に図４の矢印のようにタッチプーリ３を金型２と平行に移動させることによって、心線ガイド溝１７で心線１をガイドする位置を移動させ、スパイラル状に巻き付けることができるものである。
【０００６】
ここで、タッチプーリ３を金型２に被せた補強材１の外周に直接接触させず浮かせた状態で心線４の巻き付けを行なう方法もあるが、この方法では巻き付けられた心線４の並びが悪くなり、得られた伝動ベルトＴに埋入されている心線４の本数にばらつきが生じて、伝動ベルトＴの強度のばらつきが大きくなると共に、心線４同士が接触しているとベルト走行中に心線４間にストレスが生じて切断されるおそれがある。
【０００７】
このために、図４や図５に示すように、タッチプーリ３を金型２に被せた補強材１に押さえ付けた状態で、心線４の巻き付けを行なうようにしている。図４及び図５において、符号４ａは補強材１の外周にこれから巻き付けようとする心線４を示し、符号４ｂは補強材１の外周に既に巻き付けた巻付け済みの心線４を示すものであり、巻き付けようとする心線４ａは巻付け心線押さえ部５の心線ガイド溝１７で押さえ付けられて補強材１の外周に巻き付けられ、また補強材１の外周に巻付け済みの心線４ｂは巻済み心線押さえ部６で押さえられている。このように巻き付けようとする心線４ａと巻付け済みの心線４ｂがそれぞれタッチプーリ３で押さえ付けられた状態で巻き付けが行なわれるので、補強材１の外周での心線４の並びが良くなるのである。
【０００８】
【発明が解決しようとする課題】
上記のようにタッチプーリ３を金型２に被せた補強材１に押さえ付けることによって、並び良く心線４をスパイラルに巻き付けることができるが、この反面、タッチプーリ３による押圧力の作用で金型２に被せた補強材１にずれによるネジレが発生し易くなる。補強材１は帆布等を筒状にして付き合わせた端部同士を縫い合わせてあり、この縫い目１４は図３（ｂ）に示すように歯部１３の頂部に位置するように伝動ベルトＴを製造する必要があり、このためには縫い目１４が凹溝１１の位置にくるように補強材１を金型２に被せて、成形を行なう必要があるが、心線４を巻き付ける際に補強材１にずれが生じると、補強材１の縫い目１４が凹溝１１の位置からずれるおそれがあり、縫い目１４が歯部１３の頂部からずれて歯部１３間の谷部などの位置に縫い目１４が存在して、強度の上で問題がある伝動ベルトＴが製造されるおそれがあるのである。
【０００９】
ここで、心線４を巻き付ける際に補強材１にずれによるネジレが発生する原理を図５に基づいて説明する。
【００１０】
タッチプーリ３は自身では回転駆動されないものであり、図４や図５に示すように、補強材１の外周に既に巻き付けられている巻付け済みの心線４ｂに巻済み心線押さえ部６が圧接していることによって、金型２の回転駆動に従動してタッチプーリ３は図５の矢印のように回転されるものであり、補強材１の外周にこれから巻き付けようとする心線４ａは角度θの範囲で巻付け心線押さえ部５の心線ガイド溝１７に巻き掛けられている。そしてタッチプーリ３の外周のうち金型２に最も近い個所に接する心線４ａ，４ｂの表面上の点をＡ0とし、これから巻き付けようとする心線４ａがタッチプーリ３の巻付け心線押さえ部５の外周に角度θで巻き掛けられている範囲である円弧Ａ0Ｂ0をとり、さらに円弧Ａ0Ｂ0＝円弧Ａ0Ｃ0となるように点Ｃ0を巻付け済み心線４ｂの外側の表面上にプロットする。またタッチプーリ３の軸１５と点Ａ0を結ぶ直線の延長線とこれから巻き付けようとする心線４ａのピッチラインｐとの交点と、金型２の回転軸１６と点Ａ0を結ぶ直線と巻付け済みの心線４ｂのピッチラインｐとの交点は図５において一致するので、それぞれ点Ａ1としてプロットし、さらにタッチプーリ３の軸１５と点Ｂ0を結ぶ直線の延長線とこれから巻き付けようとする心線４ａのピッチラインｐとの交点を点Ｂ1としてプロットすると共に、金型２の回転軸１６と点Ｃ0を結ぶ直線と巻付け済みの心線４ｂのピッチラインｐとの交点をＣ1としてプロットする。尚、心線４のピッチラインｐは心線４のほぼ中心にある。
【００１１】
タッチプーリ３の巻付け心線押さえ部５の半径ｒ1と巻済み心線押さえ部６の半径ｒ1は等しいので、タッチプーリ３と心線４の間で滑りがなければ、金型２の回転駆動に伴って回転される巻付け済み心線４ｂの外側表面の速度とタッチプーリ３の巻付け心線押さえ部５の外周表面の速度は等しくなり、従って巻付け心線押さえ部５に接するこれから巻き付けようとする心線４ａの内側表面の速度と巻付け済み心線４ｂの外側表面の速度は等しくなる。すなわち、［巻き付けようとする心線４ａの内側表面の送り速度：巻付け済み心線４ｂの外側表面の送り速度＝円弧Ａ0Ｂ0：円弧Ａ0Ｃ0］であり、円弧Ａ0Ｂ0＝円弧Ａ0Ｃ0である。
【００１２】
ここで、巻き付けようとする心線４ａの送り速度と巻付け済み心線４ｂの送り速度を、心線４の真の長さであるピッチラインｐについて比較をすると、［巻き付けようとする心線４ａの送り速度：巻付け済み心線４ｂの送り速度＝円弧Ａ1Ｂ1：円弧Ａ1Ｃ1］である。そして心線４の厚み（直径）をｔ、金型２に補強材１の厚みを加えた金型２の中心の回転軸１６から補強材１の外周までの半径をｒ2とすると、円弧Ａ1Ｂ1／円弧Ａ0Ｂ0＝（ｒ1＋０．５ｔ）／ｒ1であり、円弧Ａ1Ｃ1／円弧Ａ0Ｃ0＝（ｒ2＋０．５ｔ）／（ｒ2＋ｔ）である。上記のように円弧Ａ0Ｂ0＝円弧Ａ0Ｃ0であるから、［巻き付けようとする心線４ａの送り速度：巻付け済み心線４ｂの送り速度＝円弧Ａ1Ｂ1：円弧Ａ1Ｃ1＝（ｒ1＋０．５ｔ）／ｒ1：（ｒ2＋０．５ｔ）／（ｒ2＋ｔ）］の関係になる。一般にｒ2はｒ1より大であるので、（ｒ1＋０．５ｔ）／ｒ1＞（ｒ2＋０．５ｔ）／（ｒ2＋ｔ）であり、従って円弧Ａ1Ｂ1＞円弧Ａ1Ｃ1である。よって、巻き付けようとする心線４ａの送り速度は巻付け済み心線４ｂの送り速度より常に速くなる。
【００１３】
このように、巻き付けようとする心線４ａの送り速度が巻付け済み心線４ｂの送り速度より速いと、送り込まれる心線４ａはその長さが送り込まれた心線４ｂより大きいため、巻き付けようとする心線４ａは送り終わった方向、すなわち金型２の回転方向へ逃げ、この結果、金型２の回転方向に補強材１がずれてネジレが発生するのである。
【００１４】
本発明は上記の点に鑑みてなされたものであり、タッチプーリで押さえ付けながら心線を巻き付けるにあたって、補強材がずれてネジレるようなことなく、心線を補強材の外周に巻き付けることができる伝動ベルト成形用心線巻付け装置を提供することを目的とするものである。
【００１５】
【課題を解決するための手段】
本発明は、補強材１を外周に被せた伝動ベルト成形用の金型２と、金型２に被せた補強材１の外周に接して回転自在で且つ金型２の軸方向に沿って移動駆動されるタッチプーリ３とを備えて成り、金型２に被せた補強材１の外周に供給される心線４をタッチプーリ３の外周面で押さえながら金型２を回転駆動させることによって、心線４を補強材１の外周にスパイラル状に巻き付けるようにした伝動ベルト成形用心線巻付け装置において、タッチプーリ３に、補強材１の外周に供給されて巻き付けられる心線４を押さえる巻付け心線押さえ部５と、補強材１の外周に巻き付け済みの心線４を押さえる巻済み心線押さえ部６を形成すると共に、巻済み心線押さえ部６の半径ｒ3を巻付け心線押さえ部５の半径ｒ1よりも大きく形成して成ることを特徴とするものである。
【００１６】
また請求項２の発明は、タッチプーリ３の巻付け心線押さえ部５の半径をｒ1、巻済み心線押え部６の半径をｒ3、補強材１の厚みも含めた金型の半径をｒ2、心線４の厚みをｔとすると、巻済み心線押え部６の半径ｒ3と巻付け心線押さえ部５の半径ｒ1の差ｄを、
ｄ＝Ａ×（０．５ｔ（ｒ1＋ｒ2）／ｒ2）
（ただし、Ａは０．１〜０．７の係数）
に設定することを特徴とするものである。
【００１７】
【発明の実施の形態】
以下、本発明の実施の形態を説明する。
【００１８】
図１及び図２は本発明の実施の形態の一例を示すものであり、タッチプーリ３は円柱状（あるいは円筒状）に形成されるものであって、軸１５を中心にして回転自在にしてある。またタッチプーリ３は軸方向の一方の端部を巻付け心線押さえ部５として、軸方向の他の部分を巻済み心線押さえ部６として一体に形成してあり、巻付け心線押さえ部５の外周には心線ガイド溝１７が凹設してある。そしてこのタッチプーリ３において、巻付け心線押さえ部５の半径（心線ガイド溝１７の溝底部での半径）ｒ1よりも、巻済み心線押さえ部６の半径ｒ3を大きい寸法に形成してある。
【００１９】
また金型２は既述のように、外周に歯部成形用の凹溝１１を軸方向と並行に多数本設けて形成した円筒体（あるいは円柱体）で形成されるものであり、回転軸１６を中心にして回転駆動されるようになっている。タッチプーリ３はこの金型２の外周部に軸１５，１６が平行になるように配置されるものであり、金型２の軸方向と平行な方向に移動駆動されるようにしてある。
【００２０】
そしてこの金型２の外周には、帆布などのシート材を縫い合わせて筒状にした補強材１が被せられるものであり、金型２に被せたこの補強材１の外周に心線４をスパイラル状に巻き付けるにあたっては、心線４を補強材１の外周に供給し、タッチプーリ３の巻付け心線押さえ部５の心線ガイド溝１７で心線４をガイドしながら、金型２を図２の矢印方向のように回転駆動すると共にタッチプーリ３を金型２に対して図１の矢印のように平行に移動させることによって行なうことができる。また、タッチプーリ３には心線４を金型２に被せた補強材１に押さえ付ける押圧力が与えられており、これから巻き付けようとする心線４ａは巻付け心線押さえ部５の心線ガイド溝１７で押さえ付けられて補強材１の外周に巻き付けられると同時に、補強材１の外周に巻付け済みの心線４ｂは巻済み心線押さえ部６で押さえられているので、補強材１の外周での心線４の並びを良好なものとすることができる。
【００２１】
そして従来例の図５において説明したように、タッチプーリ３で押さえ付けながら金型２を回転駆動して心線４を補強材１の外周に巻き付ける際に、これから巻き付けようとする心線４ａの送り速度が、巻付け済み心線４ｂの送り速度より速いと、巻き付けられる心線４ａに補強材１が部分的に引かれて移動し、金型２の回転方向に補強材１がずれてネジレが発生する。従って、これから巻き付けようとする心線４ａの送り速度と、巻付け済み心線４ｂの送り速度が等しくなれば、送り込まれる心線４ａにの長さと送り込まれた心線４ｂの長さは等しくなり、巻き付けられる心線４ａに補強材１が部分的に引かれるようなことがなくなって、補強材１がずれてネジレることを防止することができる。
【００２２】
本発明ではタッチプーリ３の巻付け心線押さえ部５の半径ｒ1よりも、巻済み心線押さえ部６の半径ｒ3を大きい寸法に形成することによって、巻付け心線押さえ部５の外周と巻済み心線押さえ部６の外周での周速度に差を付け、巻付け心線押さえ部５で押さえながらこれから巻き付けようとする心線４ａの送り速度と、巻済み心線押さえ部６で押さえられている巻付け済み心線４ｂの送り速度を等しくすることができるようにしたものであり、この原理を図２に基づいて説明する。
【００２３】
図２においてＡ0，Ｂ0，Ｃ0，Ａ1，Ｂ1，Ｃ1はそれぞれ図５のものと同じである（ただし、Ａ0は巻き付けようとする心線４ａの表面上の点、Ａ1は巻き付けようとする心線４ａのピッチラインｐ上の点である）。また、巻済み心線押え部６の半径ｒ3は巻付け心線押え部５の半径ｒ1よりも大きく形成されているので、巻済み心線押え部６によって補強材１及び巻付け済み心線４ｂは圧縮されており、巻済み心線押さえ部６の外周のうち金型２に最も近い個所に接する巻済み心線４ｂの外側表面上の点をＡ3、金型２の回転軸１６と点Ａ3を結ぶ直線と巻付け済み心線４ｂのピッチラインｐ上の点をＡ5としてプロットする。そして図５の場合と同様に円弧Ａ0Ｂ0＝円弧Ａ0Ｃ0であり、巻付け済み心線４ｂは圧縮されているが、実質的に円弧Ａ0Ｃ0＝円弧Ａ3Ｃ0として差し支えない。そして円弧Ａ3Ｃ0＝円弧Ａ3Ｂ3となる点Ｂ3を巻済み心線押さえ部６の外周表面上にプロットし、さらにタッチプーリ３の中心である軸１５とＢ3を結ぶ直線が巻き付けようとする心線４ａのピッチラインｐと交わる点Ｂ4をプロットする。
【００２４】
ここで、既述のようにタッチプーリ３は自身では回転駆動されず、補強材１の外周に既に巻き付けられている巻付け済みの心線４ｂに巻済み心線押さえ部６が圧接していることによって、金型２の回転駆動に従動してタッチプーリ３は図２の矢印のように回転されるものである。そして円弧Ａ3Ｃ0＝円弧Ａ3Ｂ3であるから、金型２が図２の矢印のように回転駆動されて巻付け済み心線４ｂが送られ、巻付け済み心線４ｂの外周上の点Ｃ0が図２の点Ａ3に達するときには、巻付け心線押さえ部６の外周上の点Ｂ3が図２の点Ａ3に達するようにタッチプーリ３は回転されることになり、タッチプーリ３のこの回転に伴って巻付け心線押さえ部５によってこれから巻き付けようとする心線４ａが送られる。従ってこのときの、巻き付けようとする心線４ａの送り速度と、巻付け済み心線４ｂの送り速度を、心線４の真の長さであるピッチラインｐについて比較をすると、［巻き付けようとする心線４ａの送り速度：巻付け済み心線４ｂの送り速度＝円弧Ａ1Ｂ4：円弧Ａ5Ｃ1］の関係が成立する。図２から明らかなように、円弧Ａ1Ｂ4＜円弧Ａ1Ｂ1であり、実質的に円弧Ａ5Ｃ1＝円弧Ａ1Ｃ1であるので、従来の図５の［巻き付けようとする心線４ａの送り速度：巻付け済み心線４ｂの送り速度＝円弧Ａ1Ｂ1：円弧Ａ1Ｃ1］の関係の場合よりも、巻き付けようとする心線４ａの送り速度を遅くすることができる。従って、従来のような巻き付けようとする心線４ａの送り速度が巻付け済み心線４ｂの送り速度より速くなる状態を解消し、巻き付けようとする心線４ａの送り速度と巻付け済み心線４ｂの送り速度ができるだけ等しくなるようにすることが可能になり、補強材１がずれてネジレることを防止することが可能になるものである。
【００２５】
次に、補強材１がずれてネジレることを防止するために必要な、タッチプーリ３における巻付け心線押さえ部５の半径ｒ1と巻済み心線押さえ部６の半径ｒ3の差ｄを、図２に基づいて求める。すなわち、上記の［巻き付けようとする心線４ａの送り速度：巻付け済み心線４ｂの送り速度＝円弧Ａ1Ｂ4：円弧Ａ5Ｃ1］の関係から、円弧Ａ1Ｂ4＝円弧Ａ5Ｃ1であれば、巻き付けようとする心線４ａの速度と巻付け済み心線４ｂの速度は等しくなり、補強材１がずれてネジレることを防止することができる。従って、円弧Ａ1Ｂ4＝円弧Ａ5Ｃ1にするために必要な条件として、巻付け心線押さえ部５の半径ｒ1と巻済み心線押さえ部６の半径ｒ3の差ｄを求めればよい。
【００２６】
しかして図２において、円弧Ａ5Ｃ1／円弧Ａ3Ｃ0＝（ｒ2＋０．５ｔ）／（ｒ2＋ｔ）である（巻付け済み心線４ｂは圧縮されているが、両辺は実質的にイコールとして差し支えない）。また円弧Ａ1Ｂ4／円弧Ａ3Ｂ3＝（ｒ1＋０．５ｔ）／ｒ3＝（ｒ1＋０．５ｔ）／（ｒ1＋ｄ）である。円弧Ａ3Ｃ0＝円弧Ａ3Ｂ3であるから、円弧Ａ1Ｂ4：円弧Ａ5Ｃ1＝（ｒ1＋０．５ｔ）／（ｒ1＋ｄ）：（ｒ2＋０．５ｔ）／（ｒ2＋ｔ）となる。そして円弧Ａ1Ｂ4＝円弧Ａ5Ｃ1を成立させる条件は、（ｒ1＋０．５ｔ）／（ｒ1＋ｄ）＝（ｒ2＋０．５ｔ）／（ｒ2＋ｔ）である。この等式を展開すると、ｄ＝０．５ｔ（ｒ1＋ｒ2＋ｔ）／（ｒ2＋０．５ｔ）となる。ｔはｒ1やｒ2よりも十分に小さいのでｒ1＋ｒ2＋ｔ≒ｒ1＋ｒ2、ｒ2＋０．５ｔ≒ｒ2とすることができる。従って、ｄ＝０．５ｔ（ｒ1＋ｒ2）／ｒ2を得ることができる。
【００２７】
このように、補強材１がずれてネジレることを防止するために必要な、タッチプーリ３における巻付け心線押さえ部５の半径ｒ1と巻済み心線押さえ部６の半径ｒ3の差ｄは、
ｄ＝０．５ｔ（ｒ1＋ｒ2）／ｒ2  …（１）
として求めることができる。しかし実際には、心線４とタッチプーリ３との間の滑り、補強材１の圧縮変形による心線４の沈みなどが複雑に影響し、さらに補強材１がタッチプーリ３による押圧力でタクレて金型２の回転と逆方向にずれるタクレの現象があるので、理論的に得られる上記の式（１）に係数をかけて補正する必要がある。タクレの現象は、図６に示すように、金型２の外周に被せた補強材１にこれから巻き付けようとする心線４ａを介してタッチプーリ３の押圧力が作用すると、この押圧力で補強材１が金型２の表面から部分的に浮いて金型２の回転方向と反対方向に押されてずれることによって生じるものであり、心線４を補強材１の外周に巻き付ける際に発生するずれによって補強材１が金型２の回転方向にベジレるのとは反対向きのずれである。従って、上記の式（１）に１以下の係数Ａをかけて得られる
ｄ＝Ａ×（０．５ｔ（ｒ1＋ｒ2）／ｒ2）  …（２）
が実用的に採用されるものである。この係数Ａは補強材１や心線４の材質等に応じて異なるが、実機による試験から経験的に０．１〜０．７であると求められている。
【００２８】
ここで、歯数１０６、歯形ＭＹ、ベルト幅２５ｍｍの歯付ベルトを製造するにあたって、ｒ1＝７０ｍｍ、ｒ2＝１３５ｍｍ、ｔ＝１．２０ｍｍであるとき、これらの数値を代入して式（１）からｄを求めると、ｄ＝０．９ｍｍとなるが、これに係数Ａ＝０．１〜０．７をかけると、ｄ＝０．０９ｍｍ〜０．６３ｍｍとなる。従って、巻付け心線押さえ部５の半径ｒ1が７０ｍｍのタッチプーリ３の場合、巻済み心線押さえ部の半径ｒ3を７０．０９ｍｍ〜７０．６３ｍｍの間に形成することによって、補強材１がずれてネジレるようなことを確実に防止しながら、心線４の巻き付けを行なうことができるものである。
【００２９】
尚、本発明では上記のようにタッチプーリ３の巻済み心線押さえ部６の半径ｒ3を巻付け心線押さえ部５の半径ｒ1より大きくなるように形成しているため、巻付け済み心線４ｂに対する巻済み心線押さえ部６の押圧力が弱いと、巻付け心線押さえ部５が巻き付けようとする心線４ａから浮いて、補強材１の外周に巻き付けられた心線４の並びが悪くなるおそれがある。このために、タッチプーリ３に付加的な押圧力を与え、巻付け済み心線４ｂや補強材１を巻済み心線押さえ部６で圧縮させるようにして、巻付け心線押さえ部５で巻き付けようとする心線４ａを押さえ付けることができるようにする必要がある。このようにタッチプーリ３を強く押圧させるようにしても、金属材料で形成されるタッチプーリ３において巻付け心線押さえ部５の半径ｒ1と巻済み心線押さえ部６の半径ｒ3の比率は変わらないので、補強材１がずれてネジレることを防ぐ効果に影響はない。また心線４や補強材１は繊維材料で形成されるので、タッチプーリ３で一時的に押圧されて圧縮変形しても、伝動ベルトＴの性能には何ら問題は生じない。
【００３０】
【発明の効果】
上記のように本発明は、補強材を外周に被せた伝動ベルト成形用の金型と、金型に被せた補強材の外周に接して回転自在で且つ金型の軸方向に沿って移動駆動されるタッチプーリとを備えて成り、金型に被せた補強材の外周に供給される心線をタッチプーリの外周面で押さえながら金型を回転駆動させることによって、心線を補強材の外周にスパイラル状に巻き付けるようにした伝動ベルト成形用心線巻付け装置において、タッチプーリに、補強材の外周に供給されて巻き付けられる心線を押さえる巻付け心線押さえ部と、補強材の外周に巻き付け済みの心線を押さえる巻済み心線押さえ部を形成するようにしたので、これから巻き付けようとする心線と巻付け済みの心線をそれぞれ押さえた状態で心線を巻き付けることができ、補強材の外周での心線の並びを良好なものとすることができるものである。しかも巻済み心線押さえ部の半径を巻付け心線押さえ部の半径よりも大きく形成するようにしたので、巻付け心線押さえ部の外周と巻済み心線押さえ部の外周での周速度に差を付け、巻付け心線押さえ部で押さえながらこれから巻き付けようとする心線の送り速度と、巻済み心線押さえ部で押さえられている巻付け済み心線の送り速度が等しくなるようにすることができ、巻き付けようとする心線の速度が巻付け済み心線の速度より速いことによって生じる補強材のずれによるネジレを防止しながら、心線を補強材の外周に巻き付けることができるものである。
【図面の簡単な説明】
【図１】本発明の実施の形態の一例を示す一部の正面図である。
【図２】同上の一部の側面図である。
【図３】（ａ）は伝動ベルトの製造の工程の一例を示す側面断面図、（ｂ）は伝動ベルトの一部を示す拡大した斜視図である。
【図４】従来例を示す一部の正面図である。
【図５】同上の一部の側面図である。
【図６】タクレの現象を示す一部の側面図である。
【符号の説明】
１  補強材
２  金型
３  タッチプーリ
４  心線
５  巻付け心線押さえ部
６  巻済み心線押さえ部
【図１】
0004445112.tif 000002
【図２】
0004445112.tif 000003
【図３】
0004445112.tif 000004
【図４】
0004445112.tif 000005
【図５】
0004445112.tif 000006
【図６】
0004445112.tif 000007